(57)【要約】本発明の明細書は、複数のサイディング・パネルを表面に固定するストリップについて記載する。このストリップは、建物の表面に、サイディング・パネルの長さ方向に対して直交するよう据え付ける。このストリップは、ストリップに沿って、規則的に間隔をあけて配置し、かつストリップから外方に向かって突出する複数の留め具を有する。各サイディング・パネルは、順次の２個の留め具間に嵌合し、各留め具は可撓性部分及び係合部分を有する。１個のサイディング・パネルにおける第１端縁に係合する可撓性部分と、１個のサイディング・パネルにとける第２端縁に係合し、これによって、１個のサイディング・パネルを、２個の留め具間で表面に固定するための係合部分とを設ける。
2013518195.tif 000002
【特許請求の範囲】
【請求項１】
表面にサイディング・パネルを固定するための、固定装置であり、各サイディング・パネルは第１端縁及び第２端縁を有する、該固定装置において、
表面に取り付けるためのストリップと、
前記ストリップに沿って、間隔を空けて配置し、かつ前記ストリップから外方に向かって突出する留め具であり、少なくとも１個の留め具は、１個のサイディング・パネルにおける第１端縁に係合するよう設け、各留め具は、係合部分及び可撓性部分を有し、前記係合部分は前記部分から延びているものとし、前記１個のサイディング・パネルを前記表面に固定する間に、前記１個のサイディング・パネルにおける第２端縁を所定位置に固定し、つぎに前記１個のサイディング・パネルにおける第１端縁を、前記少なくとも１個の留め具に押し付けて、前記係合部分を前記表面に向かうよう変位させ、最終的に前記１個のサイディング・パネルにおける第１端縁が係合部分に係合し、これにより、前記１個のサイディング・パネルを前記表面に固定するようにした、該留め具と
を備えた、固定装置。
【請求項２】
請求項１記載の固定装置において、前記留め具は、前記ストリップに沿って規則的に間隔を置いて配置した、固定装置。
【請求項３】
請求項１記載の固定装置において、前記留め具は、前記ストリップに沿って不規則に間隔を置いて配置した、固定装置。
【請求項４】
請求項１記載の固定装置において、前記留め具は、２個の前記サイディング・パネルを端部が相互に突き合わさる関係となる状態で結合するユニオン部品を形成する２個の留め具を有する、固定装置。
【請求項５】
請求項１記載の固定装置において、前記ストリップ及び前記留め具を、同一材料ピースで形成し、単独の一体部品を形成する、固定装置。
【請求項６】
請求項５記載の固定装置において、前記留め具は、同一材料のピースから切り出し、また折り曲げ加工し、したがって、前記留め具は折り目を有するものとした、固定装置。
【請求項７】
請求項６記載の固定装置において、前記折り目は少なくとも２個の折り目、すなわち、第１折り目及び第２折り目を有する構成とした、固定装置。
【請求項８】
請求項７記載の固定装置において、前記可撓性部分は前記第１折り目と前記第２折り目との間で構成される、固定装置。
【請求項９】
請求項８記載の固定装置において、前記第１折り目と前記第２折り目との間の距離は、その先の、任意の後続折り目間における距離よりも大きい、又は最後の折り目後に続く、前記留め具における材料長さよりも大きいものとし、このことにより、前記可撓性部分が撓んで前記係合部分が変位するのを確実にする、固定装置。
【請求項１０】
請求項５記載の固定装置において、同一の単一材料ピースはスチールとした、固定装置。
【請求項１１】
請求項１記載の固定装置において、留め具は、さらに、ほぼ平面状の押し込み部分を有し、この押し込み部分に対して前記１個のサイディング・パネルにおける前記第１端縁を押し付け、これにより、係合部分が前記表面に向かって変位するよう構成した、固定装置。
【請求項１２】
請求項１１記載の固定装置において、ほぼ平面状の押し込み部分は第１平面とし、前記可撓性部分は、前記第１平面に対してほぼ平行な第２平面とした、固定装置。
【請求項１３】
請求項１記載の固定装置において、前記ストリップは、前記表面に前記ストリップを固着するくぎにより穴が開く部分を有する、固定装置。
【請求項１４】
請求項１記載の固定装置において、前記ストリップは、前記表面に固定装置を位置決めするのを容易にするため、各留め具における一定長手方向距離に配置したマーキングを有するものとした、該固定装置。
【請求項１５】
請求項１４記載の固定装置において、前記ストリップは、長手方向を有し、前記マーキングは、マーキング対により構成し、各マーキング対におけるマーキングは、前記ストリップの長手方向に直交するラインを形成する、固定装置。
【請求項１６】
請求項１記載の固定装置において、前記ストリップは、長手方向を有し、前記留め具は前記ストリップの長手方向に直交する方向の幅を有し、また、前記１個のサイディング・パネルにおける第１端縁は、前記１個のサイディング・パネルにおける長手方向に平行であり、したがって、前記ストリップの長手方向及び前記サイディング・パネルの長手方向はほぼ直交する、固定装置。
【請求項１７】
請求項１記載の固定装置において、前記ストリップは、前記表面に対する垂直方向アタッチメントとするとともに、前記サイディング・パネルは水平方向に据え付けるようにした、固定装置。
【請求項１８】
請求項１記載の固定装置において、さらに、前記サイディング・パネルに対して外方に向かう正の圧力を発生するよう前記ストリップから突出する外方延長部分を備えた、固定装置。
【請求項１９】
第１端縁及び第２端縁を有するサイディング・パネルを表面に固定する方法であって、
前記表面に対して、また同一レベルで同一形状の長手方向に延びている固定装置を据え付ける固定装置据え付けステップであって、前記固定装置はそれぞれ留め具を有する構成とした、該固定装置据え付けステップと、
前記表面に沿ってかつ長手方向に延びている前記固定装置に直交するよう、サイディング・パネルの前記第２端縁を固定する固定ステップと、
前記第２端縁の周りに回転させて、前記サイディング・パネルの前記第１端縁を、前記留め具のうち１個に押し付ける押し付けステップであり、前記１個の留め具を前記表面に向けて変位させ、最終的に前記１個の留め具が元の位置に弾発的に戻り、そして前記第１端縁が、前記１個の留め具に係合し、それにより、前記１個のサイディング・パネルを前記表面に固定する、該押し付けステップと、及び
前記表面をカバーするまで、据え付け済みのサイディング・パネルの第１端縁に直接隣接させてサイディング・パネルを固定するための、前記固定ステップ及び前記押し付けステップを繰り返す、繰り返しステップと、
を有する、方法。
【請求項２０】
請求項１９記載の方法において、さらに、前記サイディング・パネルの意図した長手方向と同一長手方向に、起点ストリップを前記表面に据え付けるステップを有し、また、同一形状の長手方向に延びている固定装置を据え付けるステップは、前記固定装置を前記表面に据え付ける作業中、前記固定装置の底端部を前記起点ストリップの頂端縁にもたせ掛けるもたせ掛けステップであり、これにより、ある固定装置におけるすべての留め具が、他の固定装置における留め具に整列するのを確実にする、該もたせ掛けステップを有する、方法。
【発明の詳細な説明】
【技術分野】
【０００１】
本明細書による発明は、建設資材の分野に関する。より詳しくは、本明細書は、サイディング・パネルを建物の表面に取り付けるための、留め具に関する。
【背景技術】
【０００２】
通常、建物のサイディングは、建物の側面または側面の一部を覆うために、側方に継ぎ合わせていくボードの列により構成する。ボードは、純粋な木材、繊維セメント、ビニール又は他の複合材料により形成する。ボードは、建物の外側を保護するよう設計するとともに、意匠的要素としても機能する。ボードは、地面に対して、任意の角度で配置することができる。
【０００３】
従来、ボードは、壁に配置したスタッドに対して垂直方向に釘留めする。２人以上の作業者は、ボードを位置決めし、釘留めする必要がある。多くの場合、特に純粋な木製ボードの場合に、手持ちハンマを用いて、釘によりボードを据え付ける。空気式ハンマ又は電気式ハンマでは、木材を割ってしまうことがよくある。また、ボードは、互いに平行し、したがって、それら全て同一レベルに規則正しく維持するよう、壁に対して一線ラインが引けるようにしなければならない。さらに、ボードの端部は、スタッドに対応するようカットしなければならない。
【０００４】
いくつかのシステムでは、空気式ハンマあるいは、電気式ハンマにより、付加的な個別のピースを壁に釘留めすることを可能にする。各付加的な個別のピースは、それぞれ、ボードの据え付けが進行するにつれて、別個かつ漸次的に、釘留めしなければならない。これらピースもまた、個別に順次相互に水平となるよう整列させなければならない。
【発明の概要】
【発明が解決しようとする課題】
【０００５】
したがって、サイディング・パネルを固定するための改良した留め具の必要性がある。
【０００６】
本発明の目的は、既知の固定具のデメリットを１つ又はそれ以上の欠点を克服する若しくは軽減する固定装置、又は少なくとも有用な代替的固定装置を得るにある。
【課題を解決するための手段】
【０００７】
本発明の実施形態によれば、サイディング・パネルを建物の表面に固定するための固定装置を提供する。各サイディング・パネルは、第１端縁及び第２端縁を有し、固定装置は建物の表面に取付けるためのストリップと、ストリップ上に、間隔をあけて配置し、また外方に突出する留め具であって、留め具のうち少なくとも１個の留め具は、１個のサイディング・パネルにおける第１端縁に係合するためのものとし、各留め具は、係合部分及び可撓性部分を有し、係合部分は可撓性部分から延びている構成とする。この固定装置において、１個のサイディング・パネルを、建物の表面に固定する作業中、この１個のサイディング・パネルの第２端縁を所定位置に固定し、その後、この１個のサイディング・パネルの第１端縁を、少なくとも１個の係合部分に押し付けて、係合部分を建物の表面に向けて変位させ、最終的に、この１個のサイディング・パネルの第１端縁が係合部分に係合し、これにより、この１個のサイディング・パネルを建物の表面に固定する。
【０００８】
本発明の実施形態によれば、上述の固定装置であって、留め具は、ストリップに沿って規則的に間隔を置いて配置する、該固定装置を提供する。
【０００９】
本発明の実施形態によれば、上述の固定装置であって、留め具は、ストリップに沿って、不規則に間隔を置いて配置する、該固定装置を提供する。
【００１０】
本発明の実施形態によれば、上述の固定装置であって、２個のサイディング・パネルを端部が相互に突き合わさる関係となる状態で結合するユニオン部品を形成する２個の留め具を有する、該固定装置を提供する。
【００１１】
本発明の実施形態によれば、上述の固定装置であって、ストリップ及び留め具は、同一材料ピースで形成し、単独の一体部品を形成する、該固定装置を提供する。
【００１２】
本発明の実施形態によれば、上述の固定装置であって、留め具は、同一材料から切り出し、折り曲げ加工し、したがって、留め具は折り目を有するものとした、該固定装置を提供する。
【００１３】
本発明の実施形態によれば、上述の固定装置であって、折り目は少なくとも２個の折り目、すなわち第１折り目及び第２折り目を有する構成とした、該固定装置を提供する。
【００１４】
本発明の実施形態によれば、上述の固定装置であって、可撓性部分は第１折り目と第２折り目との間に存在するものとした、該固定装置を提供する。
【００１５】
本発明の実施形態によれば、上述の固定装置であって、第１折り目と第２折り目との間の距離は、その先の、任意の後続折り目間における距離よりも大きい、又は最後の折り目後に続く、留め具における材料長さよりも大きいものとし、このことにより、可撓性部分が撓んで前記係合部分が変位するのを確実にする、該固定装置を提供する。
【００１６】
本発明の実施形態によれば、上述の固定装置であって、同一の単一材料ピースはスチールとした、該固定装置を提供する。
【００１７】
本発明の実施形態によれば、上述の固定装置であって、留め具は、さらに、ほぼ平面状の押し込み部分を有し、この押し込み部分に対して１個のサイディング・パネルの第１端縁を押し付け、これにより、係合部分が前記表面に向かって変位するよう構成した、該固定装置を提供する。
【００１８】
本発明の実施形態によれば、上述の固定装置であって、ほぼ平面状の押し込み部分は第１平面とし、可撓性部分は、第１平面に対してほぼ平行な第２平面とした、該固定装置を提供する。
【００１９】
本発明の実施形態によれば、上述の固定装置であって、ストリップには、建物の表面にストリップを固着するくぎにより穴が開く部分を有する、該固定装置を提供する。
【００２０】
本発明の実施形態によれば、上述の固定装置であって、ストリップは建物の表面に固定装置を位置決めするのを容易にするため、各留め具における一定長手方向距離に配置した、視覚的インジケータを有するものとした、該固定装置を提供する。
【００２１】
本発明の実施形態によれば、上述の固定装置であって、ストリップは、長手方向を有し、マーキングは、マーキング対により構成し、各マーキング対におけるマーキングは、ストリップの長手方向に直交するラインを形成する、該固定装置を提供する。
【００２２】
本発明の実施形態によれば、上述の固定装置であって、ストリップは、長手方向を有し、留め具はストリップの長手方向に直交する方向の幅を有し、また１個のサイディング・パネルにおける第１端縁は、この１個のサイディング・パネルにおける長手方向に平行であり、したがって、ストリップの長手方向及びサイディング・パネルの長手方向はほぼ直交する、該固定装置を提供する。
【００２３】
本発明の実施形態によれば、上述の固定装置であって、ストリップは、建物の表面に対する垂直方向アタッチメントとするとともに、サイディング・パネルは水平方向に据え付けるようにした、該固定装置を提供する。
【００２４】
本発明の実施形態によれば、第１端縁及び第２端縁を有するサイディング・パネルを表面に固定する方法を提供し、この方法は、前記表面に対して、また同一レベルで同一形状の長手方向に延びている固定装置を据え付ける固定装置据え付けステップであって、前記固定装置はそれぞれ留め具を有する構成とした、該固定装置据え付けステップと、前記表面に沿ってかつ長手方向に延びている前記固定装置に直交するよう、サイディング・パネルの前記第２端縁を固定する固定ステップと、前記第２端縁の周りに回転させて、前記サイディング・パネルの前記第１端縁を、前記留め具のうち１個に押し付ける押し付けステップであり、前記１個の留め具を前記表面に向けて変位させ、最終的に前記１個の留め具が元の位置に弾発的に戻り、そして前記第１端縁が、前記１個の留め具に係合し、それにより、前記１個のサイディング・パネルを前記表面に固定する、該押し付けステップと、及び前記表面をカバーするまで、据え付け済みのサイディング・パネルの第１端縁に直接隣接させてサイディング・パネルを固定するための、前記固定ステップ及び前記押し付けステップを繰り返す、繰り返しステップと、を有する。
【００２５】
本発明の実施形態によれば、上述の方法であって、さらに、サイディング・パネルの意図した長手方向と同一長手方向に、起点ストリップを前記表面に据え付けるステップを有し、また、同一形状の長手方向に延びている固定装置を据え付けるステップは、前記固定装置を前記表面に据え付ける作業中、前記固定装置の底端部を前記起点ストリップの頂端縁にもたせ掛けるもたせ掛けステップであり、これにより、ある固定装置におけるすべての留め具が、他の固定装置における留め具に整列するのを確実にする、該もたせ掛けステップを有する、該方法を提供する。
【００２６】
本発明の他の特徴および利点を、添付図面に関連する以下の詳細な説明によって明らかになるであろう。
【図面の簡単な説明】
【００２７】
【図１】本発明の実施形態によるサイディング・パネルで部分的にカバーした家の正面図である。
【図１Ａ】本発明の実施形態による、固定装置を据え付けた構造の部分的な説明図である。
【図２】本発明の実施形態による固定装置の部分斜視図である。
【図２Ａ】本発明の異なる実施形態による、固定装置の部分斜視図である。
【図２Ｂ】本発明の異なる実施形態による、固定装置の部分斜視図である。
【図２Ｃ】図２Ａまたは２Ｂの固定装置における１個の留め具の拡大図である。
【図３】本発明の実施形態による、図２の固定装置によって建物の表面に固定したサイディング・パネルの側面図である。
【図３Ａ】他の実施形態による固定装置によって、表面に固定したサイディング・パネルの側面図である。
【図３Ｂ】他の実施形態による固定装置によって、表面に固定したサイディング・パネルの側面図である。
【図３Ｃ】他の実施形態による、固定装置によって、表面に固定したサイディング・パネルの側面図である。
【図３Ｄ】他の実施形態による固定装置によって、表面に固定したサイディング・パネルの側面図である。
【図３Ｅ】他の実施形態による固定装置によって、表面に固定したサイディング・パネルの側面図である。
【図４】本発明の実施形態による固定装置によって、表面に固定する、成形加工シート型又は折り曲げ加工シート型のサイディングの側面図である。
【図５】本発明の実施形態による、成形加工シート型又は折り曲げ加工シート型のサイディングの部分斜視図である。
【図６】図４の一部分であって、本発明の実施形態による、固定装置の留め具とサイディング・パネルの頂部バックフックとの間における相互作用の細部を示す部分側面図である。
【図７】本発明の実施形態による、サイディング・パネルを表面に固定する方法の異なる段階における、固定装置の側面図である。
【図８Ａ】本発明の実施形態による、サイディング・パネルを表面に固定する方法の一段階における、固定装置の斜視図である。
【図８Ｂ】本発明の実施形態による、サイディング・パネルを表面に固定する方法の別の段階における、固定装置の斜視図である。
【図８Ｃ】本発明の実施形態による、サイディング・パネルを表面に固定する方法のさらに別の段階における、固定装置の斜視図である。
【図９】本発明の実施形態による、固定装置の部分斜視図である。
【図１０】本発明の実施形態による、２枚のサイディング・パネルを互いに固着するための、ユニオン部品の斜視図である。
【図１１】本発明の実施形態による、固定装置の別の斜視図である。
【図１２】本発明の実施形態による、固定装置を有する構造の部分斜視図である。
【図１３】サイディング・パネルを建物の表面に固定する方法の実施形態を記述するブロックフローチャート図である。
【発明を実施するための形態】
【００２８】
添付図面にわたり、類似特徴部分は、同様の参照符号で示す。
【００２９】
つぎに、図面につき説明するが、より具体的には図１を参照すると、外側の表面１２を有する建物１０を示し、この表面１２に規則的に又は不規則に固着した、互いに平行なストラップ（帯状片）１４でカバーする。表面１２の左下部分１６に、サイディング・パネル１８、例えば、サイディング・ボード、タイル、岩石イミテーションパネル等を、ストラップ１４に水平方向に固定する。表面１２の右下部分２０には、ストラップ２２を地面に対して、傾斜させたものを示す。サイディング・パネル１８は、ストラップ２２に対して、直交する方向に据え付けることを示す。
【００３０】
図１Ａは、ストラップ１４における固定装置３０を有する構造を示す。図１Ａ，２，２Ａに示すように、表面１２にサイディング・パネル１８を固定するための、固定装置３０が示す。図１Ａの実施形態において、表面１２はストラップ１４を有する。他の実施形態において、ストラップ１４は不要とする。図１Ａにおいて、起点ストリップ１９を構造１５に設置した状態を示し、これにより、ストラップ１４に対して全ての固定装置３０を同一レベルに設置できるようにする。
【００３１】
固定装置３０は、サイディング・パネル１８を据え付けた後にサイディング・パネル１８に対して、外方に向かう正の圧力を発生する、リッジ４６（図２Ａ）又はウイング４７（図２Ｂ）も含む。外方に向かう正の圧力は、留め具３４と類似する、切り出した延長部分（図示せず）のような、他の手段を用いてサイディング・パネル１８に加えることもできる。リッジ４６又はウイング４７のような全ての正圧力発生手段は、サイディング・パネル１８の後方に、空気スペースを生ずるよう作用する。
【００３２】
本発明の実施形態によれば、固定装置３０は、剛性材料、例えばスチールにより構成したシートメタルで形成する。図１〜２Ｃの実施形態に示す固定装置３０は、図１に示すストラップ１４又はストラップ２２に据え付けることを意図する。固定装置３０は、ストラップ１４又は２２に、手作業又は空気ガンを用いて、打ち付ける釘を用いて据え付けることができる。固定装置３０をストラップ１４又は２２に固着する、任意な他の手段、例えばねじ、接着剤、両面若しくは片面接着テープ又はそれらの任意な組み合わせも使用可能である。
【００３３】
図２、２Ａ、２Ｂ及び２Ｃに示すように、固定装置３０には、留め具３４をストリップ（細条）３２に沿って規則的又は不規則に配置する。各留め具３４は、可撓性部分３８及び係合部分３６を有する。各部分は、図３により詳細に示すように、サイディング・パネル１８の一方の端縁に係合するよう設ける。ストリップ３２は、さらに、複数のマーキング４０（図２及び２Ａ参照）を有し、各マーキング４０は、留め具３４から、一定の長手方向距離に配置する。各マーキング４０は、表面１２における固定装置３０の位置決めを容易にする、視覚的インジケータとして作用する。
【００３４】
当業者にとって、マーキング４０の機能は、図２に示した以外の手段によって実施できることは理解できるであろう。例えば、各留め具３４相互間の１個の穴（ボア）とすることができる。マーキング４０は、留め具３４から一定の長手方向距離に配置する限り、ライン、ドット、ボア等の任意なタイプのマーキングで置き換えることができる。
【００３５】
次に、図３につき説明すると、固定装置３０によって、表面に固定したサイディング・パネル１８の側面図を示す。表面１２に対するサイディング・パネル１８の固定中、サイディング・パネル１８の第２端縁４２は所定位置に固定し、このとき、サイディング・パネル１８の第１端縁４４を留め具３４に押し付けて、係合部分３６をサイディング・パネル１８から表面に向かうよう変位させ、最終的に留め具３４が弾発的に元の位置に戻り、サイディング・パネル１８の第１端縁４４が係合部分３６に係合し、これによって１個のサイディング・パネル１８を表面１２に固定する。
【００３６】
最下側及び中間のサイディング・パネル１８が、順次の２個の留め具３４間に設置されている状態を示す。この実施形態において、留め具３４の可撓性部分３８は、サイディング・パネル１８の第２端縁４２に係合し、かつこの第２端縁４２を固定する。
【００３７】
最頂部のサイディング・パネル１８は、第２端縁４２が所定位置に据え付けするとともに第１端縁４４を留め具３４に押し付ける準備状態、にあることを示す。
【００３８】
各１個のサイディング・パネル１８は、ほぼ剛性であり、また第１端縁４４および第２端縁４２を有する。より詳しくは、固定装置３０は、ストラップ１４に設置するためのストリップ３２と、このストリップ３２に沿って間隔を置いて配置し、かつストリップ３２から外方に突出する留め具３４とを備える。少なくとも１個の留め具３４は、１個のサイディング・パネル１８の第１端縁４４に係合するために設ける。図２、２Ａ、２Ｂ及び２Ｃに示すように、留め具３４は、それぞれ、係合部分３６及び可撓性部分３８を有する。係合部分３６は可撓性部分３８から突出する。
【００３９】
サイディング・パネル１８の所定輪郭は図３に示すが、よく機能する他の多くの輪郭も可能である（図３Ａ〜３Ｅ参照）。実際、留め具３４，１３４，２３４，３３４及び４３４は、異なる形状にすることができる。また、サイディング・パネル１８，１１８，２１８，３１８及び４１８は異なる形態をとるようにし、固定装置３０，１３０，２３０，３３０及び４３０に対して、異なる実施形態になるようにすることができる。同様のことが、留め具の特別な形状についても言える。ただし、これは、留め具３４，１３４，２３４，３３４及び４３４が、サイディング・パネル１８，１１８，２１８，３１８及び４１８それぞれの第１端縁及び第２端縁に対して適切に相互作用する限りにおいてである。当然、留め具３４，１３４，２３４，３３４及び４３４相互間の距離は、それぞれ、各サイディング・パネル１８，１１８，２１８，３１８及び４１８の第１端縁４４，１４４，２４４，３４４，４４４と第２端縁４２，１４２，２４２，３４２，４４２との間における距離に対応する。
【００４０】
固定装置３０を用いた、サイディング・パネル１８の表面に対する据え付けは、従来の技術および装置を用いて行うよりも、相当容易かつ迅速である。
【００４１】
図４をにつき説明すると、ストリップ５６を備える別の実施形態による固定装置５０を示す。固定装置５０は剛性材料、例えばスチールで構成したシートメタルで形成する。図４の実施形態で示すように、固定装置５０は、図１のストラップ１４又はストラップ２２に据え付けることを意図する。固定装置５０は、手作業で又は空気ガンを用いて打ち付ける釘を用いて、ストラップ１４又は２２に据え付けることができる。固定装置３０をストラップ１４又は２２に固着するための任意な他の手段、例えばねじ、接着剤、両面若しくは片面の接着テープ等又はそれらの任意な組み合わせも使用可能である。
【００４２】
特に図４につき説明すると、固定装置５０によって表面に複数のシートタイプのサイディング６０を固定した側面図を示す。固定装置５０は、ストラップ１４に据え付けた状態を示す。
【００４３】
図４，５及び６につき説明すると、固定装置５０には、留め具５４をストリップ５６に沿って規則的に配置する。各留め具５４は、フック部分５８を有する。各フック部分は、シートタイプのサイディングにおける、対応する頂部バックフック部分に係合するよう設ける（図５および６に詳細に示す）。
【００４４】
本発明の実施形態によるシートタイプのサイディング６０を示す。サイディング６０に通常見られる、底部バックフック６８及び頂部フロントフック６４の他に、サイディング６０には、さらに、頂部バックフック６２を有する。底部バックフック６８及び頂部フロントフック６４は通常通り機能し、据え付け済みの下側サイディングの上方に据え付けるサイディングのための、サイディングの底部バックフック６８は、据え付け済みの下側サイディングの頂部フロントフック６４と相互作用するよう形成する。頂部バックフック６２はフック部分５８と相互作用するよう形成し、サイディング６０の頂部部分をストリップ５６に、また結果として、ストラップ１４に保持できるようにする。
【００４５】
次に、図８Ａ〜８Ｃにつき説明すると、本発明の実施形態によれば、利用者は、表面１２にサイディング・パネル１８を固定するための、既知の方法を使用する。利用者は、まず起点ストリップ１９を設置する、又は表面においてある高さ（レベル）の水平ラインを描く。もし、その利用者が起点ストリップ１９を用いる場合、各固定装置３０の底部をもたせかけることで、すべて同一レベルで、固定装置３０を据え付け始めることが容易であろう。もし、起点ストリップ１９を使用しない場合、利用者は、すべての固定装置３０のレベル合わせ基準として、固定装置３０のマーキング４０のセットを使用する。従来技術は、通常のレベル合わせ又はレーザーレベル合わせにチョークラインを用いることを含むが、これに限定はしない。
【００４６】
必要なときには、起点ストリップ１９は所定レベルで（図８Ａ参照）、構造１５の選択した高さに配置する。選択した高さは、利用者が、表面の一部に対して、すなわち表面の頂部又は底部、表面における開口等に対して、所定サイディング・パネル１８をどこに配置したいかによって決定することができる。その後、固定装置３０は、その底部を、起点ストリップ１９の頂部端縁に整列させることで据え付ける。すべての固定装置３０は同一であるため、すべてのマーキング４０は、一定高さの水平ラインを形成するはずである。
【００４７】
起点ストリップ１９を使用しない場合、最初の固定装置３０を選択した高さに据え付ける。表面を、１組のマーキング４０のセットを横切るある一定レベルの水平ラインでマーク付けした後、利用者は、残っているストラップ１４のすべて又は大部分に固定装置３０を据え付け、このとき、各固定装置３０からのマーキング４０のセットが水平ラインを横切るようにする。すべてのマーキング４０のセットが留め具３４から同一の相対距離にくるよう配置することで、すべての留め具が、一定レベルの水平ラインを形成することを確実にする。固定装置３０を、ストリップに据え付けるには、釘打ちガンを使用するのが特に有用である。
【００４８】
利用者は、その後、サイディング・パネル１８を、建物の表面の底部から据え付けをスタートし、つぎにそこからそのすぐ上のサイディング・パネルの列に向かって、移行する（図８Ａ，８Ｂおよび８Ｃ参照）。各サイディング・パネル１８は、留め具３４の列に対して、サイディング・パネル１８の第２端縁４２を、載置又は固定することで簡単に据え付けることができる。その後、サイディング・パネル１８の第１端縁４４を、図３に示すように、その上方にある留め具３４の列に押し付ける。このとき、留め具３４は、サイディング・パネル１８の第１端縁４４が、留め具３４の係合部分３６を横切るまで、強制的に上方へ動かされる（図３参照）。留め具３４の係合部分３６は、その後サイディング・パネル１８を所定位置に固定する。図７の左から右に向かう一連の図は、このプロセスを示す。
【００４９】
図７により詳しく示すように、サイディング・パネル１８を表面に取り付ける方法は、１つのサイディング・パネル１８における第２端縁４２を、別のサイディング・パネル１８における第１端縁４４に固定するステップと、この１つのサイディング・パネル１８における第１端縁４４を、少なくとも１個の留め具３４に押し付けて、この１つのサイディング・パネル１８から表面１２に向かうよう変位させ、最終的にこの１つのサイディング・パネル１８の第１端縁４４が係合部分３６に係合し、これにより、この１つのサイディング・パネル１８を表面１２に固定するステップとを有する。
【００５０】
この技術を用いて、サイディング・パネル１８を据え付けることは、従って、サイディング・パネルに釘を打ち込むことなく、一人で固定することができる。
【００５１】
次に図９につき説明すると、本発明の実施形態による、表面にサイディング・パネル１８を固定する方法の、特定の異なる段階にある、固定装置３０を示す。さらに、図９及び１０には、留め具３４間で２個のサイディング・パネル１８の端部相互を突き合わせて結合するための、ユニオン部品２６を示す。このユニオン部品は、固定装置３０の利用者が、２つの固定装置間における２枚のサイディング・パネル１８を結合することを可能にする。実際、２枚のサイディング・パネル１８を端部突き合わせで結合するために、ユニオン部品はストリップ３２上位置する必要はない。
【００５２】
さらに、図１１及び１２は、ストリップ３２の留め具３４間に据え付けた、２枚のサイディング・パネル１８とともに固定装置を示す。加えて、図１１及び１２は、据え付けるとき、ストリップ３２を整列させることができるようにするための、傾斜カット２８を示す。
【００５３】
図１２は、サイディング・パネルを表面に固定する方法において、２個の固定装置３０のマーキング４０を使用してラインを引き、各対応するマーキング４０から他の２個の固定装置３０を据え付けるスタート状態を示す。
【００５４】
本明細書で説明した固定装置３０及び５０は、純粋木材、木質繊維、繊維セメント、ビニール、複合材料、アルミニウム等のあらゆるタイプの外装表面のサイディング・パネル、並びに、木製スラット、装飾タイル、天井パネル等のインテリア製品で機能するよう構成できることに留意されたい。
【００５５】
次に図１３につき説明すると、第１端縁及び第２端縁を有するサイディング・パネルを表面に固定する方法８０の実施形態を示す。この方法８０は以下のステップを有する。すなわち、サイディング・パネルの意図した長手方向と同じ長手方向に、表面に起点ストリップを据え付ける段階（ステップ８２）；それぞれ留め具を有する同一形状の長手方向に延びている固定装置を建物の表面に据え付けるとともに、この表面に対する据え付け中に、起点ストリップの頂部端縁に同一形状の長手方向に延びている固定装置の底部端縁をもたせ掛け、これにより、ある同一形状の長手方向固定装置におけるすべての留め具が、他の同一形状の長手方向固定装置にとける留め具と整列するのを確実にする段階（ステップ８４）；建物の表面に沿い、また長手方向に延びている固定装置に対して直交する方向に延びている、サイディング・パネルの第２端縁を固定する段階（ステップ８６）；第２端縁の周りに回転運動させて、サイディング・パネルの第１端縁を、１つの留め具に押し付け、この１つの留め具を表面に向かうよう変位させ、最終的に、この１つの留め具が元の位置に弾発的に戻り、第１端縁が、この１つの留め具に係合し、それにより、その１個のサイディング・パネルを建物の表面に固定する段階（ステップ８８）；及び建物の表面をカバーするまで、据え付け済みのサイディング・パネルの第１端縁に直接隣接させてサイディング・パネルを固定するための、この固定及び押し付けステップを繰り返段階（ステップ９０）を有する。
【００５６】
添付図面につき好適な実施形態を説明したが、当業者にとっては、本発明の本質から逸脱することなく、変更を加えることができることは明らかであろう。このような変更は、本発明の範囲に含まれる、起こりうる変更例としてみなされるべきである。
【図１】
2013518195.tif 000003
【図１Ａ】
2013518195.tif 000004
【図２】
2013518195.tif 000005
【図２Ａ】
2013518195.tif 000006
【図２Ｂ】
2013518195.tif 000007
【図２Ｃ】
2013518195.tif 000008
【図３】
2013518195.tif 000009
【図３Ａ】
2013518195.tif 000010
【図３Ｂ】
2013518195.tif 000011
【図３Ｃ】
2013518195.tif 000012
【図３Ｄ】
2013518195.tif 000013
【図３Ｅ】
2013518195.tif 000014
【図４．６】
2013518195.tif 000015
【図５】
2013518195.tif 000016
【図７】
2013518195.tif 000017
【図８Ａ】
2013518195.tif 000018
【図８Ｂ】
2013518195.tif 000019
【図８Ｃ】
2013518195.tif 000020
【図９】
2013518195.tif 000021
【図１０】
2013518195.tif 000022
【図１１】
2013518195.tif 000023
【図１２】
2013518195.tif 000024
【図１３】
2013518195.tif 000025
【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
表面にサイディング・パネルを固定するための、固定装置であり、各サイディング・パネルは第１端縁及び第２端縁を有する、該固定装置において、
表面に取り付けるためのストリップと、
前記ストリップに沿って、間隔を空けて配置し、かつ前記ストリップから外方に向かって突出する留め具であり、少なくとも１個の留め具は、１個のサイディング・パネルにおける第１端縁に係合するよう設け、各留め具は、係合部分及び可撓性部分を有し、前記係合部分は前記部分から延びているものとし、前記１個のサイディング・パネルを前記表面に固定する間に、前記１個のサイディング・パネルにおける第２端縁を所定位置に固定し、つぎに前記１個のサイディング・パネルにおける第１端縁を、前記少なくとも１個の留め具に押し付けて、前記係合部分を前記表面に向かうよう変位させ、最終的に前記１個のサイディング・パネルにおける第１端縁が係合部分に係合し、これにより、前記１個のサイディング・パネルを前記表面に固定するようにした、該留め具と
を備えた、固定装置。
【請求項２】
請求項１記載の固定装置において、前記ストリップ及び前記留め具を、同一材料ピースで形成し、単独の一体部品を形成する、固定装置。
【請求項３】
請求項１又は２記載の固定装置において、前記留め具は、同一材料のピースから切り出し、また折り曲げ加工し、したがって、前記留め具は折り目を有するものとした、固定装置。
【請求項４】
請求項３記載の固定装置において、前記折り目は少なくとも２個の折り目、すなわち、第１折り目及び第２折り目を有する構成とした、固定装置。
【請求項５】
請求項４記載の固定装置において、前記可撓性部分は前記第１折り目と前記第２折り目との間で構成される、固定装置。
【請求項６】
請求項５記載の固定装置において、前記第１折り目と前記第２折り目との間の距離は、その先の、任意の後続折り目間における距離よりも大きい、又は最後の折り目後に続く、前記留め具における材料長さよりも大きいものとし、このことにより、前記可撓性部分が撓んで前記係合部分が変位するのを確実にする、固定装置。
【請求項７】
請求項１〜６のうちいずれか一項に記載の固定装置において、留め具は、さらに、ほぼ平面状の押し込み部分を有し、この押し込み部分に対して前記１個のサイディング・パネルにおける前記第１端縁を押し付け、これにより、係合部分が前記表面に向かって変位するよう構成した、固定装置。
【請求項８】
請求項７記載の固定装置において、ほぼ平面状の押し込み部分は第１平面とし、前記可撓性部分は、前記第１平面に対してほぼ平行な第２平面とした、固定装置。
【請求項９】
請求項１〜８のいずれか一項に記載の固定装置において、前記ストリップは、前記表面に固定装置を位置決めするのを容易にするため、各留め具における一定長手方向距離に配置したマーキングを有するものとし、
前記ストリップは、長手方向を有し、前記マーキングは、マーキング対により構成し、各マーキング対におけるマーキングは、前記ストリップの長手方向に直交するラインを形成する、固定装置。
【請求項１０】
請求項１〜９のうちいずれか一項に記載の固定装置において、さらに、前記サイディング・パネルに対して外方に向かう正の圧力を発生するよう前記ストリップから突出する外方延長部分を備えた、固定装置。
【国際調査報告】
2013518195.tif 000026
2013518195.tif 000027